(57)【要約】【課題】  全光ネットワークにおける高速の伝送特性補償設定動作を可能にすると共に、伝送路の動的変化にも柔軟に対処することを可能にする。【解決手段】  複数のノード４，５及びリンク６からなる光通信網３により形成されるデータプレーンＤに対して独立して設けられた制御プレーンＣを介して制御手段７が特定のノード４，５及びリンク６からなるパスを設定した後、設定されたパスを介して送信側１から受信側２へと情報の通信が行われる。パスの設定に付随して、制御手段７から送信側１及び受信側２へ制御プレーンＣを介してパスの伝送特性の測定指示が付与されると共に、制御手段７から受信側２へ制御プレーンＣを介して伝送特性補償設定の指示が付与される。パスの伝送特性の測定指示に従ってデータプレーンＤを介した測定用の通信が行われ、受信側２では、測定用の通信によって伝送特性を測定し、伝送特性補償設定を実行する。【選択図】  図１
2006074698.tif 000002
【特許請求の範囲】
【請求項１】
複数のノード及びリンクからなる光通信網により形成されるデータプレーンに対して独立して設けられた制御プレーンを介してＧＭＰＬＳプロトコルに基づいて制御手段が特定のノード及びリンクからなるパスを設定した後、前記設定されたパスを介して送信側から受信側へと情報の通信を行う光伝送システムの伝送品質補償方法において、
前記制御手段から前記制御プレーンを介して前記受信側にパス設定要求を付与し、前記制御手段から前記送信側及び受信側へ前記制御プレーンを介して前記パスの伝送特性の測定指示を付与し、前記制御手段から前記受信側へ前記制御プレーンを介して前記測定されたパスの伝送特性を補償するための伝送特性補償設定の指示を付与し、
前記送信側では、前記パスの伝送特性の測定指示に従って前記受信側へと前記データプレーンを介した測定用の通信を行い、
前記受信側では、前記測定用の通信によって前記伝送特性を測定し、受信された情報の伝送特性補償のための伝送特性補償設定を実行し、前記受信側から前記制御プレーンを介して前記送信側へとパス設定確保通知を通信して設定を完了する
ことを特徴とする伝送品質補償方法。
【請求項２】
複数のノード及びリンクからなる光通信網により形成されるデータプレーンに対して独立して設けられた制御プレーンを介してＧＭＰＬＳプロトコルに基づいて制御手段が特定のノード及びリンクからなるパスを設定した後、
前記制御手段から前記送信側及び受信側へ前記制御プレーンを介して前記パスの伝送特性の測定指示を付与し、前記制御手段から前記受信側へ前記制御プレーンを介して前記測定されたパスの伝送特性を補償するための伝送特性補償設定の指示を付与し、
前記送信側では、前記パスの伝送特性の測定指示に従って前記受信側へと前記データプレーンを介した測定用の通信を行い、
前記受信側では、前記測定用の通信によって前記伝送特性を測定し、受信された情報の伝送特性補償のための伝送特性補償設定を実行し、
前記設定されたパスを介して送信側から受信側へと情報の通信を行う光伝送システムの伝送品質補償方法。
【請求項３】
前記パスの設定は、前記制御手段から前記制御プレーンを介して前記受信側にパス設定要求を付与することにより行われ、
前記パス設定要求には、設定しようとするパスのチャネル番号（波長）及びビットレート情報を含むチャネル情報が付加されている
ことを特徴とする請求項１又は２記載の伝送品質補償方法。
【請求項４】
前記測定用の通信は、前記送信側の送信装置から出力される信号により行い、前記伝送特性の測定及び前記伝送特性補償は、前記受信側の受信装置で行われることを特徴とする請求項１乃至３のいずれか１項記載の伝送品質補償方法。
【請求項５】
前記測定用の通信は、前記送信側のエッジノードから出力される信号により行い、前記伝送特性の測定及び前記伝送特性補償は、事前に測定された波長分散に関するテーブルから使用する波長の波長分散を抽出し、前記受信側のエッジノードで行われることを特徴とする請求項１乃至３のいずれか１項記載の伝送品質補償方法。
【請求項６】
複数のノード及びリンクからなる光通信網により形成されるデータプレーンに対して独立して設けられた制御プレーンを介してＧＭＰＬＳプロトコルに基づいて制御手段が特定のノード及びリンクからなるパスを設定した後、前記設定されたパスを介して送信側から受信側へと情報の通信を行う光伝送システムにおいて、
前記送信側は、前記パスの伝送特性を測定するための前記データプレーンを介した伝送特性測定用通信手段を有し、
前記受信側は、前記伝送特性測定用通信手段により通信された信号を受信して伝送特性を測定するための伝送特性測定手段と、伝送特性を補償する伝送特性補償手段と、測定された伝送特性に基づいて前記伝送特性補償手段に伝送特性を設定する設定手段とを有し、
前記制御手段は、前記制御プレーンを介して、前記受信側にパス設定要求を付与することにより前記パスの設定要求を行い、前記伝送特性測定用通信手段及び伝送特性測定手段へ前記パスの伝送特性の測定指示を付与し、前記伝送特性測定手段へ前記設定手段による前記伝送特性補償手段への伝送特性の設定指示を付与し、前記受信側から前記制御プレーンを介して前記送信側へとパス設定確保通知を通信することによりパスの設定を完了するものである
ことを特徴とする光伝送システム。
【請求項７】
複数のノード及びリンクからなる光通信網により形成されるデータプレーンに対して独立して設けられた制御プレーンを介してＧＭＰＬＳプロトコルに基づいて制御手段が特定のノード及びリンクからなるパスを設定した後、前記設定されたパスを介して送信側から受信側へと情報の通信を行う光伝送システムにおいて、
前記送信側は、前記パスの伝送特性を測定するための前記データプレーンを介した伝送特性測定用通信手段を有し、
前記受信側は、前記伝送特性測定用通信手段により通信された信号を受信して伝送特性を測定するための伝送特性測定手段と、伝送特性を補償する伝送特性補償手段と、測定された伝送特性に基づいて前記伝送特性補償手段に伝送特性を設定する設定手段とを有し、
前記送信側から前記受信側にパス設定要求を付与することにより前記パスの設定要求を行い、前記受信側から前記制御プレーンを介して前記送信側へとパス設定確保通知を通信することによりパスの設定を完了した後、
前記制御手段は、前記制御プレーンを介して、前記伝送特性測定用通信手段及び伝送特性測定手段へ前記パスの伝送特性の測定指示を付与し、前記伝送特性測定手段へ前記設定手段による前記伝送特性補償手段への伝送特性の設定指示を付与し、前記設定されたパスを介して送信側から受信側へと情報の通信を行うものである
ことを特徴とする光伝送システム。
【請求項８】
前記制御手段は、前記制御プレーンを介して前記受信側にパス設定要求を付与することにより前記パスの設定要求を行うものであり、
前記パス設定要求には、設定しようとするパスのチャネル番号（波長）及びビットレート情報を含むチャネル情報が付加されている
ことを特徴とする請求項６または７記載の光伝送システム。
【請求項９】
前記伝送特性測定用通信手段は、前記送信側の送信装置に設けられており、前記伝送特性測定手段及び前記伝送特性補償手段は、前記受信側の受信装置に設けられていることを特徴とする請求項６乃至８のいずれか１項記載の光伝送システム。
【請求項１０】
前記伝送特性測定用通信手段は、前記測定側のエッジノードに設けられており、前記伝送特性測定手段及び前記伝送特性補償手段は、前記受信側のエッジノードに設けられ、事前に測定された波長分散に関するテーブルから使用する波長の波長分散を抽出して前記伝送特性の測定及び前記伝送特性補償を行うことを特徴とする請求項６乃至８のいずれか１項記載の光伝送システム。
【発明の詳細な説明】
【技術分野】
【０００１】
本発明は、光通信網を使用した光伝送システムにおける伝送品質補償方法及びシステムに関し、特に全光ネットワーク通信システムのような高速光伝送システムに好適な伝送品質補償方法及びシステムに関する。
【背景技術】
【０００２】
光通信網を使用した１０Ｇｂｉｔ／ｓ以上の高速光伝送システムでは、波長分散、光増幅器の自然放出雑音光（ＡＳＥ）、非線形光学効果等の伝送特性の影響で伝送品質が低下することが知られている。特に波長分散は、ビットレートの２乗のオーダで増加するため、４０Ｇｂｉｔ／ｓを超える超高速伝送システムの実現に大きな障害となる。
【０００３】
そこで、この種の高速光伝送システムでは、受信装置側に伝送経路での波長分散特性とは逆特性を有する光学格子等からなる波長分散補償器を設け、受信側で信号劣化を補償する技術が提案されている。このうち、例えば特許文献１には、受信側で受信データの誤り率、アイ開口度、Ｑ値、クロック信号レベル等を測定し、その測定値に応じて波長分散を等化する自動等化システムが開示されている。
【０００４】
また、品質を測定し波長分散補償器を制御する方法として、例えば非特許文献１には、ＮＲＺ及びＲＺ信号からクロックを抽出、測定して、波長分散補償器を制御方法が開示されている。また、波長分散値を直接観測する方法として、非特許文献２には、光学周波数変調を用いて受信側が波長分散を測定する方法が開示されている。
【特許文献１】特開平９−３２６７５５号公報、段落００１４、図１
【非特許文献１】"Chromatic dispersion monitoring and automated compensation for NRZ and RZ data using clock regeneration and fading without adding signaling," Z.Pan, Q. Yu, Y.Xie, S. A. Havstad, A. E. Willner, D. S. Starodubov, and J. Feinberg, in Proc. OFC 2001, WH5, Mar, 2001
【非特許文献２】"In-service dispersion monitoring in 32 x 10.7 Gpbs WDM transmission system over transatlantic distance using optical frequency-modulation method," Y.Takushima, H. Yhoshimi, Y. Ozeki, K. Kikuchi, H. Yamauchi, Journal of lightwave technology, vol.22, no.1, Jan. 2004.
【０００５】
しかしながら、上述した従来の技術のうち、特許文献１、非特許文献１に開示された技術は、パス設定後、実際のデータを受信して、そのデータの誤り率、アイ開口度、Ｑ値、クロック信号レベル等の伝送品質を測定し、最適点を探索しながら調整をしていく技術であるため、最適補償点の探索までに時間がかかり、これがデータ伝送処理の高速化へのオーバーヘッドとなる。
また、非特許文献２に開示された技術は、光学周波数変調を行っているため、パス上において、変調を歪めてしまうネットワーク装置が挿入されていた場合、正常に波長分散を測定することが困難となる。
【０００６】
そこで、波長分散補償の高速化を実現するための手法として、固定的なファイバパラメータ特性を用いる方法も提案されている（非特許文献３）。この方法は、予め光ネットワークの各リンクのファイバパラメータを測定しておき、パス設定時に必要となるリンクの値を足し合わせて、分散補償器に最適な補償値を設定するようにしたものである。
【非特許文献３】“Rapid automatic chromatic dispersion compensation using GMPLS signaling enhancement for dynamically reconfigurable all-optical network,” H.Hashimoto, et al. in Proc. ECOC2003, Paper Mo4.7.6, Sep. 2003.
【発明の開示】
【発明が解決しようとする課題】
【０００７】
しかし、この方法では、ファイバパラメータを事前に測定しておく必要があり、また、事前に測定した値は、気温変動、支障移転等により実際にパスを設定する際の値とは異なる可能性が高い。このため、トポロジーが動的に変化する全光ネットワークに対応し、且つ、動的に変化する光ファイバパラメータ特性に追従した測定及び補償動作が必要になる。しかしながら、上述した非特許文献３の技術では、事前に測定した時と、実際にパスを張る時の値が異なっている可能性が高く、補償を最適に行うことが困難である。また、各波長のデータを更にリンク毎にデータとして保持する必要があるため、多くの情報を保持する必要があるという問題もある。
【０００８】
本発明は、このような問題点に鑑みなされたもので、高速の伝送特性補償設定動作が可能で、しかも伝送路の動的変化にも柔軟に対処することができる光伝送システムにおける伝送品質補償方法及びシステムを提供することを目的とする。
【課題を解決するための手段】
【０００９】
本発明に係る第１の伝送品質補償方法は、複数のノード及びリンクからなる光通信網により形成されるデータプレーンに対して独立して設けられた制御プレーンを介してＧＭＰＬＳ（Generalized Multi-protocol Label Switching）プロトコルに基づいて制御手段が特定のノード及びリンクからなるパスを設定した後、前記設定されたパスを介して送信側から受信側へと情報の通信を行う光伝送システムの伝送品質補償方法において、前記制御手段から前記制御プレーンを介して前記受信側にパス設定要求を付与し、前記制御手段から前記送信側及び受信側へ前記制御プレーンを介して前記パスの伝送特性の測定指示を付与し、前記制御手段から前記受信側へ前記制御プレーンを介して前記測定されたパスの伝送特性を補償するための伝送特性補償設定の指示を付与し、前記送信側では、前記パスの伝送特性の測定指示に従って前記受信側へと前記データプレーンを介した測定用の通信を行い、前記受信側では、前記測定用の通信によって前記伝送特性を測定し、受信された情報の伝送特性補償のための伝送特性補償設定を実行し、前記受信側から前記制御プレーンを介して前記送信側へとパス設定確保通知を通信して設定を完了することを特徴とする。
【００１０】
また、本発明に係る第２の伝送品質補償方法は、複数のノード及びリンクからなる光通信網により形成されるデータプレーンに対して独立して設けられた制御プレーンを介してＧＭＰＬＳプロトコルに基づいて制御手段が特定のノード及びリンクからなるパスを設定した後、前記制御手段から前記送信側及び受信側へ前記制御プレーンを介して前記パスの伝送特性の測定指示を付与し、前記制御手段から前記受信側へ前記制御プレーンを介して前記測定されたパスの伝送特性を補償するための伝送特性補償設定の指示を付与し、前記送信側では、前記パスの伝送特性の測定指示に従って前記受信側へと前記データプレーンを介した測定用の通信を行い、前記受信側では、前記測定用の通信によって前記伝送特性を測定し、受信された情報の伝送特性補償のための伝送特性補償設定を実行し、前記設定されたパスを介して送信側から受信側へと情報の通信を行うことを特徴とする。
【００１１】
また、本発明に係る第１の伝送品質補償システムは、複数のノード及びリンクからなる光通信網により形成されるデータプレーンに対して独立して設けられた制御プレーンを介してＧＭＰＬＳプロトコルに基づいて制御手段が特定のノード及びリンクからなるパスを設定した後、前記設定されたパスを介して送信側から受信側へと情報の通信を行う光伝送システムにおいて、前記送信側は、前記パスの伝送特性を測定するための前記データプレーンを介した伝送特性測定用通信手段を有し、前記受信側は、前記伝送特性測定用通信手段により通信された信号を受信して伝送特性を測定するための伝送特性測定手段と、伝送特性を補償する伝送特性補償手段と、測定された伝送特性に基づいて前記伝送特性補償手段に伝送特性を設定する設定手段とを有し、前記制御手段は、前記制御プレーンを介して、前記受信側にパス設定要求を付与することにより前記パスの設定要求を行い、前記伝送特性測定用通信手段及び伝送特性測定手段へ前記パスの伝送特性の測定指示を付与し、前記伝送特性測定手段へ前記設定手段による前記伝送特性補償手段への伝送特性の設定指示を付与し、前記受信側から前記制御プレーンを介して前記送信側へとパス設定確保通知を通信することによりパスの設定を完了するものであることを特徴とする。
【００１２】
更に、本発明に係る第２の伝送品質補償システムは、複数のノード及びリンクからなる光通信網により形成されるデータプレーンに対して独立して設けられた制御プレーンを介してＧＭＰＬＳプロトコルに基づいて制御手段が特定のノード及びリンクからなるパスを設定した後、前記設定されたパスを介して送信側から受信側へと情報の通信を行う光伝送システムにおいて、前記送信側は、前記パスの伝送特性を測定するための前記データプレーンを介した伝送特性測定用通信手段を有し、前記受信側は、前記伝送特性測定用通信手段により通信された信号を受信して伝送特性を測定するための伝送特性測定手段と、伝送特性を補償する伝送特性補償手段と、測定された伝送特性に基づいて前記伝送特性補償手段に伝送特性を設定する設定手段とを有し、前記送信側から前記受信側にパス設定要求を付与することにより前記パスの設定要求を行い、前記受信側から前記制御プレーンを介して前記送信側へとパス設定確保通知を通信することによりパスの設定を完了した後、前記制御手段は、前記制御プレーンを介して、前記伝送特性測定用通信手段及び伝送特性測定手段へ前記パスの伝送特性の測定指示を付与し、前記伝送特性測定手段へ前記設定手段による前記伝送特性補償手段への伝送特性の設定指示を付与し、前記設定されたパスを介して送信側から受信側へと情報の通信を行うものであることを特徴とする。
【発明の効果】
【００１３】
本発明によれば、ＧＭＰＬＳ制御プレーン上での一連のパスの設定動作に付随して、パスの伝送特性の測定指示と、測定されたパスの伝送特性を補償するための伝送特性補償設定の指示を付与するようにし、前記パスの伝送特性の測定指示に従ってデータプレーンを介した測定用の通信を行うと共に、これに基づく伝送特性の測定と、受信された情報の伝送特性補償のための伝送特性補償設定とを実行するようにしているので、データプレーンを介したデータ通信の開始に先立って、伝送特性の補償設定動作が制御プレーン上の操作によって完了する。このため、固定的なネットワークでなく全光ネットワークのような動的にトポロジーが変化するようなネットワークにおいても、高速の伝送特性補償設定動作が可能で、伝送路の動的変化にも柔軟に対処することができる。
【発明を実施するための最良の形態】
【００１４】
以下、図面に基づいて本発明の実施の形態について説明する。
［第１の実施形態］
図１は、本発明が適用される光伝送システムの構成を示す図である。
【００１５】
送信局１と受信局２とは、光通信網３を介して接続されている。光通信網３は、エッジノード４ａ，４ｂ、中継ノード５ａ，５ｂ及びそれらを相互接続する光ファイバからなるリンク６ａ〜６ｆを備えて構成され、伝送すべき情報が、例えば４０Ｇｂｉｔ／ｓで高速伝送されるデータプレーンＤを構成している。各エッジノード４ａ，４ｂ及び中継ノード５ａ，５ｂは、光クロスコネクト（ＰＸＣ）を含んでいる。
【００１６】
送信局１、受信局２及び各ノード４ａ，４ｂ，５ａ，５ｂは、制御手段としてのコントローラ７ａ〜７ｆからパス設定、伝送特性測定の指示を付与される。コントローラ７ａ〜７ｂは例えばハブ等を介して相互接続され、データプレーンＤとは独立に相互の通信を行う制御プレーンＣを構成している。
【００１７】
この実施形態では、制御プレーンＣ上でのパス設定動作は、ＧＭＰＬＳシグナリングで使用されているＲＳＶＰ−ＴＥ（Resource Reservation Protocol-Traffic Engineering）メッセージに基づいて行うことができる。周知のように、ＭＰＬＳでは、パケットの本来の宛先アドレスとは別個に、固定長のラベル情報を持ち、このラベル情報に基づいてパケットの転送を行う。各ノード４ａ，４ｂ，５ａ，５ｂには、入力ラベル及び入力インタフェース（ＩＦ）に対する出力ラベル及び出力インタフェース（ＩＦ）の関係を示すラベルテーブルが保持されており、パケット中継時には、受信パケットの本来の宛先ではなく、ラベルに基づいて次の転送先ノードを決定し、受信パケットのラベルを書き換えて次の転送先ノードに転送する。これを送信部から受信部まで繰り返すことにより、設定されたパスに従ってパケットデータが送信される。
【００１８】
パスは、確立対象となるパス上のノードに対して始点から終点へかけてホップバイホップ（hop-by-Hop）で順次設定されていく。
【００１９】
図２は、本発明の第１の実施形態に係る光伝送システムの要部を示すブロック図である。
【００２０】
図において、送信局１には、送信装置１１と、伝送特性測定用送信器１２とが備えられている。伝送特性測定用送信器１２は、パス設定時にコンローラ７ａから出力される伝送特性測定信号送信指示に基づいて、例えば正弦波状の伝送特性測定信号を出力する。
【００２１】
また、受信局２には、受信装置２１の他に、設定された伝送特性に基づいて、受信情報の補償動作行う伝送特性補償器２２と、伝送特性測定信号を受信して、受信された伝送特性測定信号から伝送特性、例えば波長分散値を測定する伝送特性測定用受信器２３と、この伝送特性測定用受信器２３の測定値に基づいて伝送特性補償器２２を設定する制御部２４とを備えている。伝送特性補償器２２としては、例えば波長分散特性の異なる複数のファイバーブラッグ格子（ＦＢＧ）を切り替えて使用するものなどを用いることができる。伝送特性測定用受信器２３は、コンローラ７ｆから制御プレーンＣを介して供給されたパス設定するチャネル情報に基づいて伝送特性測定用信号を受信する。なお、チャネル情報には、例えばチャネル番号（波長）とビットレートとを含む。
【００２２】
次に、このように構成された光伝送システムのパス設定動作及び伝送特性補償動作について説明する。
【００２３】
図３は、パス設定時の各ノード間のメッセージの流れを示す図、図４は、コントローラ７ａ，７ｆ、送信局１及び受信局２におけるフローチャートであり、どちらも通常矢印は、制御プレーンＣ上でのメッセージを示し、白抜き矢印はデータプレーンＤ上でのデータの流れを示している。
【００２４】
まず、送信側のコントローラ７ａがパス設定要求を入力すると（Ｓ１１）、コントローラ７ａは、ＲＳＶＰ−ＰＡＴＨメッセージにより、チャネル情報付きのパスの設定要求を行う（Ｓ１２）。
【００２５】
図５に、ＲＳＶＰ−Ｐａｔｈメッセージの一例を示す。ＲＳＶＰ−Ｐａｔｈメッセージは、Common header, “Session” Object, “Message ID” Object, “Explicit Route” Object, “Sender TSpec” Object等から形成されるが、“Sender TSpec” Objectにチャネル情報（CH-info）を埋め込むことが可能である。すなわち、“Sender TSpec”は、サービス毎にFragmentを持つ。Fragmentは、複数のParameterを持つ。例えばParameter #127 に “peak_data_rate”というフィールドがあり、ここにビットレートを書き込む。また、ＷＤＭチャネル情報についても、例えば、いずれかのParameter番号に書き込んでおく。
【００２６】
このＲＳＶＰ−Ｐａｔｈメッセージは、ＧＭＰＬＳプロトコルに基づいて、図３に示すように、送信局１→エッジノード４ａ→中継ノード５ａ→エッジノード４ｂ→受信局２のコントローラに順次転送され、各ノードでのパスの確立が順次行われる。ＧＭＰＬＳプロトコルを拡張することで、この各ノードでのパスの確立動作が終了すると、コントローラ７ａは、送信局１に伝送特性補償動作開始指示を出力する（Ｓ１３）。これを受けて、伝送特性測定用送信器１２は、伝送特性測定用信号を、データプレーンＤの設定されたパスを介して受信局２に向けて送信する（Ｓ２１）。
【００２７】
一方、コントローラ７ｆは、パス設定要求（ＲＳＶＰ−ＰＡＴＨ）を受信すると（Ｓ４１）、その中に含まれるチャネル情報を抽出し、受信局２の伝送特性測定用受信器２３に通知すると共に、伝送特性補償開始指示を出力する（Ｓ４２）。これにより、伝送特性測定用受信器２３は、指定されたＷＤＭチャネルで指定されたビットレートの測定用信号を受信し、受信された信号から波長分散値等の伝送特性を測定する。また、制御部２４は、測定された伝送特性とは逆特性を伝送特性補償器２２に設定する（Ｓ３１）。伝送特性補償器２２への設定動作が完了したら、制御部２４は、コントローラ７ｆに設定完了通知を行い（Ｓ３２）、これを受けたコントローラ７ｆは、パス設定確保通知（ＲＳＶＰ−ＲＥＳＶ）を出力する（Ｓ４３）。受信局２におけるパス設定要求の受信からパス設定確保通知の出力までがデータプレーンＤの物理特性確保のための期間となる。
【００２８】
受信局２から出力されたパス設定確保通知（ＲＳＶＰ−Ｒｅｓｖ．）は、図３に示すように、受信局２→エッジノード４ｂ→中継ノード５ａ→エッジノード４ａ→送信局１の各コントローラに順次転送され、コントローラ７ａでパス設定確保通知を受信したら、データプレーンＤを介したデータ通信を開始する（Ｓ１５）。
【００２９】
この実施形態によれば、図３に示すように、送信局１におけるパス設定要求の出力からパス設定確保通知の受信までの間がパス設定確保のための時間であり、この設定時間に物理特性確保が行われるので、伝送品質補償のための設定時間を短縮することができ、しかもデータ通信に先立つパス設定時に行われるので、データ通信開始時には常に品質保証がされている。本発明は、ＧＭＰＬＳプロトコルを利用した制御フローの中に、新たに波長分散測定及び測定された波長分散補償値の逆特性の伝送特性補償器への通知というフローを追加して一連のフローとするものであり、従来のＧＭＰＬＳプロトコルによる波長パス設定では困難であった４０Ｇｂｉｔ／ｓ以上の波長パス設定時における波長パスの品質保証を行うことが可能となる。
【００３０】
更に、上記処理はＧＭＰＬＳシグナリングの拡張であるため、新たなプロトコルを用いることなく実現が可能である。
［第２の実施形態］
図６は、本発明の第２の実施形態に係る光伝送システムのパス設定時における各ノード間のメッセージの流れを示す図である。
【００３１】
この実施形態が第１の実施形態と異なる点は、送信局１から受信局２へのパス設定要求と、受信局２から送信局１へのパス設定確保通知とによるパス設定確保動作の直後に、データプレーンＤの物理特性確保の操作を行っている点である。この場合には、パス設定後、通信機器の監視モードであるAdministrative Status Ｔｅｓｔｉｎｇ  Ｍｏｄｅ(監視状態テストモード)にセットし、測定及び特性補償動作が実行され、データプレーンセットアップの完了通知が受信局２から送信局１に転送されて来たら、Administrative StatusＴｅｓｔｉｎｇ  Ｍｏｄｅ(監視状態テストモード)を解除する、以後、通信サービスを確立する。
［第３の実施形態］
図７は、本発明の第３の実施形態に係る光伝送システムの要部の構成を示す図である。
【００３２】
この実施形態では、送信部３０及び受信部４０が、ユーザ宅に設置されている場合を想定している。この場合には、伝送特性測定用送信器１２が送信側のエッジノード５０ａ、伝送特性測定用受信器２３が受信側のエッジノード５０ｂにそれぞれ設置される。このように、エッジノード５０ａ，５０ｂに伝送特性測定用送受信器を設置することで、これら送受信器を、エッジノード５０ａ，５０ｂを介した多くのパスで共用して使用することができる。エッジノード５０ａ，５０ｂと送信器３０及び受信器４０とをそれぞれ接続するアクセス回線８ａ，８ｂは、通常、距離が短い。また、一度回線を敷設したら回線が変わることは殆ど無い。更に、光ファイバパラメータは、温度による変化も距離が短いため非常に小さい。これらのことから、回線工事時のデータをそのまま利用できる。
【００３３】
パス設定の際には、エッジノード５０ａからエッジノード５０ｂについては、上述と同様の伝送特性の測定を行う。測定結果は、コントローラ７ｅ，７ｆを介して伝送特性補償器２２が設置された受信部４０へ通知される。アクセス回線８ａ，８ｂについては、例えば図８に示すように、事前に測定された波長分散の、波長と芯線（アクセス回線）番号との関係テーブルをいずれかのコントローラの内部に設けておき、使用する波長のデータから波長分散値を読み込み、これを補償デバイスノードである受信部５０へ通知する。受信部５０では、通知された値を基に、パス上の波長分散値を計算。算出された値から、最適である補償値を求め、伝送特性補償器２２に設定する。上記補償動作が完了後、パス設定が完了する。
［第４の実施形態］
図９は、本発明の第４の実施形態に係る光伝送システムの要部を示すブロック図である。
【００３４】
この実施形態は、伝送特性測定用受信器２３の他、伝送測定補償器２２及び制御部２４についても、エッジノード７０に設置され、受信部６０には設置されていない点が第３の実施形態と異なっている。この場合、伝送特性補償器２２には、アクセス回線８ｂでの波長分散も考慮した補償値を設定する。
【００３５】
このように、本実施形態の光伝送システムによれば、ＧＭＰＬＳ制御プレーンを用いて、伝送特性測定及び測定された伝送特性の補償器への設定を行うことにより、これまでＧＭＰＬＳプロトコルによる波長パス設定時の品質保証は困難であったが、本発明により、４０Ｇｂｉｔ／ｓ以上の波長パスには必要不可欠な波長分散に対して、品質保証を行うことができる。
【図面の簡単な説明】
【００３６】
【図１】本発明が適用される光伝送システムの構成を示す図である。
【図２】本発明の第１の実施形態に係る光伝送システムの要部を示すブロック図である。
【図３】同システムにおけるパス設定時の各ノード間のメッセージの流れを示す図である。
【図４】コントローラ、送信局及び受信局の処理を示すフローチャートである。
【図５】同システムで使用されるＲＳＶＰメッセージの詳細を示す図である。
【図６】本発明の第２の実施形態に係る光伝送システムにおけるパス設定時の各ノード間のメッセージの流れを示す図である。
【図７】本発明の第３の実施形態に係る光伝送システムの要部を示すブロック図である。
【図８】同システムにおけるアクセス回線の波長分散データテーブルを示す図である。
【図９】本発明の第４の実施形態に係る光伝送システムの要部を示すブロック図である。
【００３７】
１…送信局
２…受信局
３…光通信網
４ａ，４ｂ，５０ａ，５０ｂ，７０…エッジノード
５ａ，５ｂ…中継ノード
６ａ〜６ｆ…リンク
７ａ〜７ｆ…コントローラ
８ａ，８ｂ…アクセス回線
１１…送信装置
１２…伝送特性測定用送信器
２１…受信装置
２２…伝送特性補償器
２３…伝送特性測定用受信器
２４…制御部
３０…送信部
４０，６０…受信部
【図１】
2006074698.tif 000003
【図２】
2006074698.tif 000004
【図３】
2006074698.tif 000005
【図４】
2006074698.tif 000006
【図５】
2006074698.tif 000007
【図６】
2006074698.tif 000008
【図７】
2006074698.tif 000009
【図８】
2006074698.tif 000010
【図９】
2006074698.tif 000011